(57)【要約】【課題】簡単な構成で、しかも組み立て作業も簡単で、スライドスイッチによって、日付調整、時刻調整などの多機能機構を確実に制御することが可能で、繰り返し操作によって、または衝撃によっても、スライドスイッチが脱落するおそれがなく、外観的、意匠的にも美麗なスライド制御スイッチを備えた時計を提供する。【解決手段】スライドスイッチを、スライド用溝部内の溝部の長手方向の一方側に位置させた際に、プッシュスイッチのスイッチ端部が、プッシュスイッチ用孔を介して没入方向に移動して、時計本体内の制御機構から離反し、スライドスイッチを、他端側に位置させた際に、プッシュスイッチの頭部が、係止用窪みのプッシュスイッチ作動用テーパー面に案内されて、プッシュスイッチのスイッチ端部が、プッシュスイッチ用孔を介して突出する方向に移動して、時計本体内の制御機構に当接するように構成されている。【選択図】  図４
2004170208.tif 000002
【特許請求の範囲】
【請求項１】
スライド制御スイッチを備えた時計であって、
時計ケースの一面に沿ってスライド可能なスライドスイッチと、
前記時計ケースに形成されたプッシュスイッチ用孔を介して出没自在で、時計本体内の制御機構に離接可能に構成したプッシュスイッチと、
前記スライドスイッチの時計ケース側に形成されたスライド用凹部と、
前記スライド用凹部に形成されたプッシュスイッチ作動用テーパー面と、
前記スライドスイッチのスライド用凹部の開口部に固着されたスライド支持枠体と、
前記時計ケースに形成されたスライド支軸ピン支持孔に固定されたスライド支軸ピンとを備え、
前記スライドスイッチが、前記スライド支軸ピンの大径の頭部によって、スライド支持枠体の開口部を介して、時計ケースの一面に沿ってスライド可能に、時計ケースに装着されるとともに、
前記プッシュスイッチが、バネ部材を介して、スライドスイッチのスライド用凹部側に、スライド支持枠体の開口部から、プッシュスイッチの頭部が突出するように付勢されており、
前記スライドスイッチを、時計ケースの一面に沿ってスライドさせることによって、前記プッシュスイッチの頭部が、プッシュスイッチ作動用テーパー面に案内されて、プッシュスイッチのスイッチ端部が、前記バネ部材に抗して、プッシュスイッチ用孔を介して突出する方向に移動して、時計本体内の制御機構に当接するように構成されていることを特徴とするスライド制御スイッチを備えた時計。
【請求項２】
スライド制御スイッチを備えた時計であって、
時計ケースの一面に沿ってスライド可能なスライドスイッチと、
前記時計ケースに形成されたプッシュスイッチ用孔を介して出没自在で、時計本体内の制御機構に離接可能に構成したプッシュスイッチと、
前記スライドスイッチの時計ケース側に形成されたスライド用凹部と、
前記スライド用凹部に形成されたプッシュスイッチ作動用テーパー面と、
前記スライドスイッチのスライド用凹部の開口部に固着されたスライド支持枠体と、
前記時計ケースに形成されたスライド支軸ピン支持孔に固定されたスライド支軸ピンとを備え、
前記スライドスイッチが、前記スライド支軸ピンの大径の頭部によって、スライド支持枠体の開口部を介して、時計ケースの一面に沿ってスライド可能に、時計ケースに装着されるとともに、
前記プッシュスイッチが、バネ部材を介して、スライドスイッチのスライド用凹部側に、スライド支持枠体の開口部から、プッシュスイッチの頭部が突出するように付勢されており、
前記プッシュスイッチの頭部が、傾斜したプッシュスイッチ作動用テーパー面を備え、
前記スライドスイッチを、時計ケースの一面に沿ってスライドさせることによって、前記プッシュスイッチの頭部が、プッシュスイッチ作動用テーパー面に案内されて、プッシュスイッチのスイッチ端部が、前記バネ部材に抗して、プッシュスイッチ用孔を介して突出する方向に移動して、時計本体内の制御機構に当接するように構成されていることを特徴とするスライド制御スイッチを備えた時計。
【請求項３】
前記スライドスイッチが、時計ケースの一面に形成されたスライド用溝部内を溝部の長手方向にスライド可能に構成されていることを特徴とする請求項１から２のいずれかに記載のスライド制御スイッチを備えた時計。
【請求項４】
前記スライド用凹部に一段窪んで形成された係止用窪みが形成されていることを特徴とする請求項１から３のいずれかに記載のスライド制御スイッチを備えた時計。
【請求項５】
前記バネ部材が、プッシュスイッチ用バネ部材であることを特徴とする請求項１から４のいずれかに記載のスライド制御スイッチを備えた時計。
【請求項６】
前記バネ部材が、時計本体内の制御機構に設けられたバネ部材であることを特徴とする請求項１から５のいずれかに記載のスライド制御スイッチを備えた時計。
【請求項７】
前記スライドスイッチを、スライド用溝部内を溝部の長手方向の一側に付勢するスライドスイッチ用戻しバネ部材を備えることを特徴とする請求項１から６のいずれかに記載のスライド制御スイッチを備えた時計。
【請求項８】
前記スライドスイッチ用戻しバネ部材が、スライドスイッチのスライド用凹部内に介装されていることを特徴とする請求項７に記載のスライド制御スイッチを備えた時計。
【請求項９】
前記スライドスイッチ用戻しバネ部材が、スライドスイッチのスライド用凹部内に、スライド用凹部の一端の端壁とスライド支軸ピンの大径の頭部の間に介装されていることを特徴とする請求項８に記載のスライド制御スイッチを備えた時計。
【請求項１０】
前記プッシュスイッチと、プッシュスイッチ用孔との間には、プッシュスイッチ用シール部材が介装されていることを特徴とする請求項１から９のいずれかに記載のスライド制御スイッチを備えた時計。
【請求項１１】
前記プッシュスイッチ用孔には、略カップ形状のプッシュスイッチ用受け部材が固着されていることを特徴とする請求項１から１０のいずれかに記載のスライド制御スイッチを備えた時計。
【請求項１２】
前記プッシュスイッチとプッシュスイッチ用受け部材との間に、前記プッシュスイッチ用シール部材が介装されていることを特徴とする請求項１１に記載のスライド制御スイッチを備えた時計。
【請求項１３】
前記プッシュスイッチの頭部の内端側に設けた環状空隙部の内壁と、プッシュスイッチ用受け部材のプッシュスイッチ用孔から外側に突設する突設部の外周との間に、前記プッシュスイッチ用シール部材が介装されていることを特徴とする請求項１１に記載のスライド制御スイッチを備えた時計。
【請求項１４】
前記プッシュスイッチと、プッシュスイッチ用受け部材に嵌着した第２のプッシュスイッチ用受け部材との間に、前記プッシュスイッチ用シール部材が介装されていることを特徴とする請求項１１に記載のスライド制御スイッチを備えた時計。
【請求項１５】
前記プッシュスイッチの大径部に形成したシール溝に、前記プッシュスイッチ用シール部材が介装されていることを特徴とする請求項１２に記載のスライド制御スイッチを備えた時計。
【請求項１６】
前記プッシュスイッチとプッシュスイッチ用受け部材の底部に形成したスイッチ軸用孔から、プッシュスイッチのスイッチ端部を構成するプッシュスイッチの小径部のスイッチ軸部が突出するように構成されていることを特徴とする請求項１１から１５のいずれかに記載のスライド制御スイッチを備えた時計。
【請求項１７】
前記プッシュスイッチの小径部のスイッチ軸部の外周に、プッシュスイッチの大径部とプッシュスイッチ用受け部材の底部との間に、前記プッシュスイッチ用バネ部材が介装されていることを特徴とする請求項１１から１６のいずれかに記載のスライド制御スイッチを備えた時計。
【請求項１８】
前記プッシュスイッチの頭部の先端部が、ドーム形状であることを特徴とする請求項１、または、３から１７のいずれかに記載のスライド制御スイッチを備えた時計。
【請求項１９】
前記スライド支軸ピンと、留めピンを係合することによって、スライド支軸ピンをスライド支軸ピン支持孔に固定するように構成されていることを特徴とする請求項１から１８のいずれかに記載のスライド制御スイッチを備えた時計。
【請求項２０】
前記スライド支軸ピンの軸部の内側に形成したネジ孔に、留めピンのネジ部を係合することによって、スライド支軸ピンをスライド支軸ピン支持孔に固定するように構成されていることを特徴とする請求項１９に記載のスライド制御スイッチを備えた時計。
【請求項２１】
前記スライド支軸ピンと、スライド支軸ピン支持孔との間には、スライド支軸ピン用シール部材が介装されていることを特徴とする請求項１から２０のいずれかに記載のスライド制御スイッチを備えた時計。
【請求項２２】
前記スライド支軸ピン支持孔には、パイプ形状のスライド支軸ピン用受け部材が固着されていることを特徴とする請求項１から２１のいずれかに記載のスライド制御スイッチを備えた時計。
【請求項２３】
前記スライド支軸ピンとスライド支軸ピン用受け部材との間に、前記スライド支軸ピン用シール部材が介装されていることを特徴とする請求項２２に記載のスライド制御スイッチを備えた時計。
【請求項２４】
前記スライド支軸ピンに形成したシール溝に、前記スライド支軸ピン用シール部材が介装されていることを特徴とする請求項２３に記載のスライド制御スイッチを備えた時計。
【請求項２５】
前記スライド支軸ピンとスライド支軸ピン支持孔が、複数組設けられていることを特徴とする請求項１から２１のいずれかに記載のスライド制御スイッチを備えた時計。
【請求項２６】
前記スライド用溝部とスライドスイッチが、時計ケースの側面に形成されていることを特徴とする請求項１から２５のいずれかに記載のスライド制御スイッチを備えた時計。
【請求項２７】
前記スライド用溝部とスライドスイッチが、時計ケースの表面に形成されていることを特徴とする請求項１から２５のいずれかに記載のスライド制御スイッチを備えた時計。
【請求項２８】
前記時計本体内の制御機構が、接点バネとスイッチを備え、プッシュスイッチのスイッチ端部が、前記プッシュスイッチ用バネ部材に抗して、プッシュスイッチ用孔を介して突出する方向に移動して、接点バネを当接押圧して、スイッチをＯＮ状態にするように構成されていることを特徴とする請求項１から２７のいずれかに記載のスライド制御スイッチを備えた時計。
【請求項２９】
前記接点バネ自体が、前記プッシュスイッチ用バネ部材を構成していることを特徴とする請求項２８に記載のスライド制御スイッチを備えた時計。
【請求項３０】
前記時計ケースのスライド用溝部の近傍には、前記スライドスイッチの方向に突出するようにバネ部材を介して付勢された係止部材を備えるとともに、
前記スライドスイッチの時計ケース側の側壁には、スライドスイッチのスライド方向に一定間隔離間して形成されたスライド係止用孔が形成されており、
前記スライドスイッチをスライドさせた際に、前記係止部材がスライド係止用孔に係合することによって、スライドスイッチを位置固定できるように構成したことを特徴とする請求項１から２９のいずれかに記載のスライド制御スイッチを備えた時計。
【請求項３１】
前記スライドスイッチの外側には、操作部が形成されていることを特徴とする請求項１から３０のいずれかに記載のスライド制御スイッチを備えた時計。
【請求項３２】
前記プッシュスイッチが、複数個設けられていることを特徴とする請求項１から３１のいずれかに記載のスライド制御スイッチを備えた時計。
【発明の詳細な説明】
【０００１】
【発明の属する技術分野】
本発明は、スライド制御スイッチを備えた時計に関する。
【０００２】
【従来の技術】
従来より、腕時計などの時計において、日付調整、時刻調整などの制御が行われているが、昨今では、時計の多機能化を背景に、例えば、タイマー、アラームの設定、電卓機能、ナビゲーション機能をはじめてとした、多機能機構を制御する必要が生じている。
【０００３】
このため、特許文献１、特許文献２および特許文献３に記載されているように、回転ベゼルを回動することによって、時計の半径方向の孔に設けたスイッチを押圧して、電気的接触によってＯＮ／ＯＦＦするという技術が開示されている。すなわち、例えば、特許文献１では、図２１に示されているように、時計ケース本体１０２に組み込まれた押しボタンスイッチ１０１ａ，１０１ｂを備えている。回転ベゼルである操作リング１０３の押しボタンスイッチ１０１ａ，１０１ｂの係合部に傾斜部１０３ａ、１０３ｂが設けられている。
【０００４】
そして、例えば、操作リング１０３を矢印に示したように回動させると、この傾斜部１０３ａが、分補正用押しボタンスイッチ１０１ａを押圧して、スイッチ端子１０７ａにスイッチ１０１ａが接触してＯＮ状態となり、分の補正が開始されるようになっている。
また、逆方向に操作リング１０３を回動すると、傾斜部１０３ｂにおいて時間補正押しボタンスイッチ１０１ｂがスイッチ端子１０７ｂに接触してＯＮ状態となり、時の補正が開始されるようになっている。
【０００５】
しかしながら、このような回転ベゼルで操作する場合には、例えば、親指と人差し指で回転ベゼルを摘んで、時計本体に対して回転する必要があるので、操作性が良好ではない。
また、外観的に回転ベゼルを必要としない腕時計に対して、このような回転ベゼルを設けることは、デザイン上の制約にもなっている。
【０００６】
さらに、これらの回転ベゼルにおいては、いずれも、シール性が考慮されていないので、防水性に劣ることにもなる。
このため、従来より、この回転ベゼルによる制御にかえて、特許文献４のように、時計の側に設けたスライドスイッチによって、制御機構をＯＮ／ＯＦＦするととともに、シール性を確保した技術が開示されている。
【０００７】
すなわち、特許文献４では、図２２に示したように、ハウジングを形成する壁２０６と、少なくとも第１状態と第２状態を取ることができる制御手段２０４を備えている。
この制御手段２０４は、時計ケース本体の壁２０６の外側面上を摺動できるスライドスイッチ２０８を備えている。さらに、制御手段２０４が、壁２０６に貫通して設けられた穴２０６ａ内を摺動できるように取り付けられたプッシュスイッチ２０９を備えている。
【０００８】
このプッシュスイッチ２０９が、ムーブメント２０７と協働する内側端部２０９ａと、スライドスイッチ２０８と協働する外側端部２０９ｂと、プッシュスイッチ２０９と壁２０６の間に挿入されたシーリングガスケット２１０と接触した胴部を備えている。
このように構成することによって、特許文献４の腕時計では、スライドスイッチ２０８を、図２２（Ａ）（Ｂ）にそれぞれ示されている位置の一方から他方へ移動させることによって、例えば、腕時計のアラーム機構を制御することができるようになっている。
【０００９】
すなわち、スライドスイッチ２０８が、図２２（Ａ）に示されている位置にある時、スライドスイッチ２０８のカム２０８ｇが、プッシュスイッチ２０９の外側端部２０９ｂに載った位置にある。このため、プッシュスイッチ２０９は時計ケース２０１内に押し込まれる。バネ部材２０７ａが曲がって、接点２０７ｂに接触し、アラーム装置のスイッチを入れることができるようになっている。
【００１０】
一方、スライドスイッチ２０８が、図２２（Ｂ）に示されている位置にある時、カム２０８ｇが引き戻される。このため、プッシュスイッチ２０９が、バネ部材２０７ａの作用で外向きに押され、アラーム装置のスイッチを解除することができるようになっている。
【００１１】
【特許文献１】
実開昭５２−２７２７８号公報（実用新案登録請求の範囲および図２〜図４参照）
【特許文献２】
特開昭５７−７９４８１号公報（第３頁、図１および図２参照）
【特許文献３】
実開平５−１７５９１号公報（段落（０００８）〜（０００９）、図１および図２参照）
【特許文献４】
登録実用新案公報第３０６１９０６号公報（段落（００２６）〜（００３０）、図１、図２、図４、および図５参照）
【００１２】
【発明が解決しようとする課題】
ところで、前述したような特許文献４の時計の側に設けたスライドスイッチによって、制御機構をＯＮ／ＯＦＦする構造では、図２３に示したように、スライドスイッチ２０８を時計ケース本体の壁２０６に形成した溝２０６ｇに係止するために、ノッチ２０８ｆを形成するとともに、溝２０６ｇに窪み２０６ｂを形成して、このノッチ２０８ｆを窪み２０６ｂに係合することによって、スライドスイッチ２０８を時計ケース本体の壁２０６に係止しなければならない。
【００１３】
これによって、特許文献４では、複雑な構成となり、組み立て作業も煩雑である。しかも、スライドスイッチを繰り返し操作したり、スライドスイッチに衝撃がかかった場合に、スライドスイッチが抜け落ちるおそれがある。
また、この特許文献４では、時計ケース本体の壁２０６に、プッシュスイッチ２０９が摺動できるように穴２０６ａを、円筒状に加工しなければならない。さらに、特許文献４では、時計ケースの内部に、バネ部材２０７ａを配設しなければならず、複雑な構成であり、組み立て作業も煩雑である。
【００１４】
従って、このように、特許文献４では、その構成が複雑で、組み立て作業も煩雑な作業が必要となり、その結果、コストが高くなることにもなる。
本発明は、このような現状に鑑み、簡単な構成で、しかも組み立て作業も簡単で、スライドスイッチによって、例えば、日付調整、時刻調整、タイマー、アラームの設定、電卓機能、ナビゲーション機能などの多機能機構を確実に制御することが可能で、繰り返し操作によって、または衝撃によっても、スライドスイッチが脱落するおそれがなく、しかも、外観的、意匠的にも美麗なスライド制御スイッチを備えた時計を提供することを目的とする。
【００１５】
【課題を解決するための手段】
本発明は、前述したような従来技術における課題及び目的を達成するために発明なされたものであって、本発明のスライド制御スイッチを備えた時計は、スライド制御スイッチを備えた時計であって、
時計ケースの一面に沿ってスライド可能なスライドスイッチと、
前記時計ケースに形成されたプッシュスイッチ用孔を介して出没自在で、時計本体内の制御機構に離接可能に構成したプッシュスイッチと、
前記スライドスイッチの時計ケース側に形成されたスライド用凹部と、
前記スライド用凹部に形成されたプッシュスイッチ作動用テーパー面と、
前記スライドスイッチのスライド用凹部の開口部に固着されたスライド支持枠体と、
前記時計ケースに形成されたスライド支軸ピン支持孔に固定されたスライド支軸ピンとを備え、
前記スライドスイッチが、前記スライド支軸ピンの大径の頭部によって、スライド支持枠体の開口部を介して、時計ケースの一面に沿ってスライド可能に、時計ケースに装着されるとともに、
前記プッシュスイッチが、バネ部材を介して、スライドスイッチのスライド用凹部側に、スライド支持枠体の開口部から、プッシュスイッチの頭部が突出するように付勢されており、
前記スライドスイッチを、時計ケースの一面に沿ってスライドさせることによって、前記プッシュスイッチの頭部が、プッシュスイッチ作動用テーパー面に案内されて、プッシュスイッチのスイッチ端部が、前記バネ部材に抗して、プッシュスイッチ用孔を介して突出する方向に移動して、時計本体内の制御機構に当接するように構成されていることを特徴とする。
【００１６】
また、本発明のスライド制御スイッチを備えた時計は、スライド制御スイッチを備えた時計であって、
時計ケースの一面に沿ってスライド可能なスライドスイッチと、
前記時計ケースに形成されたプッシュスイッチ用孔を介して出没自在で、時計本体内の制御機構に離接可能に構成したプッシュスイッチと、
前記スライドスイッチの時計ケース側に形成されたスライド用凹部と、
前記スライド用凹部に形成されたプッシュスイッチ作動用テーパー面と、
前記スライドスイッチのスライド用凹部の開口部に固着されたスライド支持枠体と、
前記時計ケースに形成されたスライド支軸ピン支持孔に固定されたスライド支軸ピンとを備え、
前記スライドスイッチが、前記スライド支軸ピンの大径の頭部によって、スライド支持枠体の開口部を介して、時計ケースの一面に沿ってスライド可能に、時計ケースに装着されるとともに、
前記プッシュスイッチが、バネ部材を介して、スライドスイッチのスライド用凹部側に、スライド支持枠体の開口部から、プッシュスイッチの頭部が突出するように付勢されており、
前記プッシュスイッチの頭部が、傾斜したプッシュスイッチ作動用テーパー面を備え、
前記スライドスイッチを、時計ケースの一面に沿ってスライドさせることによって、前記プッシュスイッチの頭部が、プッシュスイッチ作動用テーパー面に案内されて、プッシュスイッチのスイッチ端部が、前記バネ部材に抗して、プッシュスイッチ用孔を介して突出する方向に移動して、時計本体内の制御機構に当接するように構成されていることを特徴とする。
【００１７】
このように構成することによって、スライドスイッチが、スライド支軸ピンの大径の頭部によって、スライド支持枠体の開口部を介して、時計ケースの一面に沿ってスライド可能に、時計ケースに装着されることになる。
しかも、スライド支軸ピンとスライド支持枠体の開口部を介して、スライドスイッチが案内されることになり、スライドスイッチのスライド操作を円滑に行うことができる。
【００１８】
従って、従来のように、スライド用溝部に形成した窪みを介して、スライドスイッッチを時計ケースに保持する必要がなく、その構成が簡単で、組み立て作業も容易となる。
しかも、スライドスイッチが、繰り返し操作によって、または衝撃によっても、スライドスイッチが脱落するおそれがない。
【００１９】
また、プッシュスイッチが、プッシュスイッチ用バネ部材を介して、スライドスイッチのスライド用凹部側に、スライド支持枠体の開口部から、プッシュスイッチの頭部が突出するように付勢されているので、時計本体内部にバネ部材を配設する必要がないので、構成が簡単で、組み立て作業も容易となる。
しかも、スライドスイッチを、時計ケースの一面に沿ってスライドさせることによって、プッシュスイッチの頭部が、プッシュスイッチ作動用テーパー面に案内されて、プッシュスイッチのスイッチ端部が、プッシュスイッチ用バネ部材に抗して、プッシュスイッチ用孔を介して突出する方向に移動して、時計本体内の制御機構に当接するので、スライドスイッチを、時計ケースの一面に沿ってスライドさせるだけでＯＮ／ＯＦＦ状態を簡単に切り替えることができる。
【００２０】
従って、スライドスイッチをスライドさせるだけで、例えば、日付調整、時刻調整、タイマー、アラームの設定、電卓機能、ナビゲーション機能などの多機能機構を確実に制御することが可能である。
また、本発明のスライド制御スイッチを備えた時計は、前記スライドスイッチが、時計ケースの一面に形成されたスライド用溝部内を溝部の長手方向にスライド可能に構成されていることを特徴とする。
【００２１】
このように構成することによって、スライド用溝部内にスライドスイッチが収容されることになるので、スライドスイッチとスライド用溝部の側部の間に間隙がほとんど存在せず、外観的にも、意匠的にも美麗である。
また、本発明のスライド制御スイッチを備えた時計は、前記スライド用凹部に一段窪んで形成された係止用窪みが形成されていることを特徴とする。
【００２２】
このように構成することによって、スライドスイッチを、例えば、スライド用溝部内の溝部の長手方向の一方側に位置させるだけで、プッシュスイッチの頭部が、スライド用凹部の係止用窪みに当接して、プッシュスイッチのスイッチ端部が、プッシュスイッチ用孔を介して没入方向に移動して、時計本体内の制御機構から離反するので、制御機構をＯＦＦ状態とすることができる。
【００２３】
逆に、例えば、スライドスイッチを、スライド用溝部内の溝部の長手方向の他端側に位置させるだけで、プッシュスイッチの頭部が、係止用窪みの一側に形成されたプッシュスイッチ作動用テーパー面に案内されて、または、プッシュスイッチの頭部のプッシュスイッチ作動用テーパー面に案内されて、プッシュスイッチのスイッチ端部が、バネ部材に抗して、プッシュスイッチ用孔を介して突出する方向に移動して、時計本体内の制御機構に当接するので、制御機構をＯＮ状態とすることができる。
【００２４】
さらに、このように構成することによって、プッシュスイッチの頭部を係止用窪みに係止することができるので、制御機構をＯＦＦ状態に保持することができる。
また、本発明のスライド制御スイッチを備えた時計は、前記バネ部材が、プッシュスイッチ用バネ部材であっても良く、また、時計本体内の制御機構に設けられたバネ部材であっても良く、さらにこれらの両方であっても良い。
【００２５】
また、本発明のスライド制御スイッチを備えた時計は、前記スライドスイッチを、スライド用溝部内を溝部の長手方向の一側に付勢するスライドスイッチ用戻しバネ部材を備えることを特徴とする。
このように構成することによって、スライドスイッチを指などで、このスライドスイッチ用戻しバネ部材に抗して、スライド用溝部内の溝部の長手方向の一方側に位置させて、プッシュスイッチのスイッチ端部が、プッシュスイッチ用バネ部材に抗して、プッシュスイッチ用孔を介して突出する方向に移動して、時計本体内の制御機構に当接させて、制御機構をＯＮ状態とすることができる。
【００２６】
そして、この状態で、スライドスイッチから指を離すだけで、このスライドスイッチ用戻しバネ部材の復元力によって、スライドスイッチを、スライド用溝部内の溝部の長手方向の他方側に復帰して、プッシュスイッチのスイッチ端部が、プッシュスイッチ用孔を介して没入方向に移動して、時計本体内の制御機構から離反して、制御機構をＯＦＦ状態とすることができる。
【００２７】
従って、制御機構をＯＮ状態にしたい場合に、指でスライドスイッチをスライド操作するだけで、ＯＮ状態になり、手を離すだけで、元のＯＦＦ状態となるので極めて制御操作が簡単である。
また、本発明のスライド制御スイッチを備えた時計は、前記スライドスイッチ用戻しバネ部材が、スライドスイッチのスライド用凹部内に介装されていることを特徴とする。
【００２８】
このようにスライドスイッチ用バネ部材が、スライドスイッチのスライド用凹部内に介装されているので、外部にバネ部材が露出しないので、外観的、意匠的にも美麗である。
しかも、スライドスイッチによって、スライドスイッチ用バネ部材が覆われているので、雨水などによってスライドスイッチ用バネ部材が腐食するおそれがなく、上記復帰動作が確実に行われる。
【００２９】
また、本発明のスライド制御スイッチを備えた時計は、前記スライドスイッチ用バネ部材が、スライドスイッチのスライド用凹部内に、スライド用凹部の一端の端壁とスライド支軸ピンの大径の頭部の間に介装されていることを特徴とする。
このように構成することによって、スライドスイッチ用バネ部材が、スライド用凹部の一端の端壁とスライド支軸ピンの大径の頭部の間に介装されているので、スライドスイッチ用バネ部材が脱落することなく、上記復帰動作が確実に行われるとともに、組み立て作業も容易になる。
【００３０】
また、本発明のスライド制御スイッチを備えた時計は、前記プッシュスイッチと、プッシュスイッチ用孔との間には、プッシュスイッチ用シール部材が介装されていることを特徴とする。
このように構成することによって、プッシュスイッチとプッシュスイッチ用孔との間が、プッシュスイッチ用シール部材でシールされることになるので、防水性が十分確保されることになり、時計本体内部のムーブメントなどの制御機構に影響を及ぼすことがない。
【００３１】
また、本発明のスライド制御スイッチを備えた時計は、前記プッシュスイッチ用孔には、略カップ形状のプッシュスイッチ用受け部材が固着されていることを特徴とする。
このように構成することによって、プッシュスイッチ用受け部材によって、プッシュスイッチを、確実に摺動できるように装着することができ、組み立て作業および作動が確実になる。
【００３２】
また、本発明のスライド制御スイッチを備えた時計は、前記プッシュスイッチとプッシュスイッチ用受け部材との間に、前記プッシュスイッチ用シール部材が介装されていることを特徴とする。
また、本発明のスライド制御スイッチを備えた時計は、前記プッシュスイッチの頭部の内端側に設けた環状空隙部の内壁と、プッシュスイッチ用受け部材のプッシュスイッチ用孔から外側に突設する突設部の外周との間に、前記プッシュスイッチ用シール部材が介装されていることを特徴とする。
【００３３】
また、本発明のスライド制御スイッチを備えた時計は、前記プッシュスイッチと、プッシュスイッチ用受け部材に嵌着した第２のプッシュスイッチ用受け部材との間に、前記プッシュスイッチ用シール部材が介装されていることを特徴とする。
このようにプッシュスイッチとプッシュスイッチ用受け部材との間に、プッシュスイッチ用シール部材が介装されているので、確実にシール機能を確保することができる。
【００３４】
また、本発明のスライド制御スイッチを備えた時計は、前記プッシュスイッチの大径部に形成したシール溝に、前記プッシュスイッチ用シール部材が介装されていることを特徴とする。
このように構成することによって、プッシュスイッチの大径部に形成したシール溝に、プッシュスイッチ用シール部材を装着するだけで良いので、組み立て作業が容易であるとともに、プッシュスイッチ用シール部材がプッシュスイッチの摺動の際に脱落することなく、確実にシール機能を確保することができる。
【００３５】
また、本発明のスライド制御スイッチを備えた時計は、前記プッシュスイッチとプッシュスイッチ用受け部材の底部に形成したスイッチ軸用孔から、プッシュスイッチのスイッチ端部を構成するプッシュスイッチの小径部のスイッチ軸部が突出するように構成されていることを特徴とする。
このように構成することによって、プッシュスイッチ用受け部材の底部に形成したスイッチ軸用孔から、プッシュスイッチのスイッチ端部を構成するプッシュスイッチの小径部のスイッチ軸部が突出するので、確実に時計本体内部の制御機構を制御（ＯＮ／ＯＦＦ）することが可能である。
【００３６】
しかも、組み立ての際には、このスイッチ軸用孔に、スイッチ軸部を挿通するだけで位置決めできるため、組み立て作業が容易である。
また、本発明のスライド制御スイッチを備えた時計は、前記プッシュスイッチの小径部のスイッチ軸部の外周に、プッシュスイッチの大径部とプッシュスイッチ用受け部材の底部との間に、前記プッシュスイッチ用バネ部材が介装されていることを特徴とする。
【００３７】
このように構成することによって、プッシュスイッチの大径部とプッシュスイッチ用受け部材の底部との間で、プッシュスイッチ用バネ部材によって、スライドスイッチのスライド用凹部側に、スライド支持枠体の開口部から、プッシュスイッチの頭部が突出するように確実に付勢することができる。
しかも、組み立ての際には、プッシュスイッチの小径部のスイッチ軸部の外周にプッシュスイッチ用バネ部材を装着するだけで良いので、組み立て作業が容易である。
【００３８】
また、本発明のスライド制御スイッチを備えた時計は、前記プッシュスイッチの頭部の先端部が、ドーム形状であることを特徴とする。
このように構成することによって、プッシュスイッチの頭部が、係止用窪みの一側に形成されたプッシュスイッチ作動用テーパー面に、このドーム形状によって円滑に案内されて、プッシュスイッチのスイッチ端部が、プッシュスイッチ用バネ部材に抗して、プッシュスイッチ用孔を介して突出する方向に移動して、時計本体内の制御機構に当接することができる。
【００３９】
従って、スライドスイッチのスライド操作が、指などの小さな力でスムーズに行えるとともに、確実に制御機構を制御することが可能となる。
また、本発明のスライド制御スイッチを備えた時計は、前記スライド支軸ピンと、留めピンを係合することによって、スライド支軸ピンをスライド支軸ピン支持孔に固定するように構成されていることを特徴とする。
【００４０】
このように構成することによって、スライド支軸ピンと、留めピンを係合するだけで、スライド支軸ピンをスライド支軸ピン支持孔に固定することができるので、組み立て作業が容易であり、しかもスライド支軸ピンが脱落することがない。
従って、留めピンによって、スライド支軸ピンをスライド支軸ピン支持孔に確実に固定することができるので、スライドスイッチを、この固定されたスライド支軸ピンを介して、時計ケースにスライド可能に確実に装着することができる。
【００４１】
また、本発明のスライド制御スイッチを備えた時計は、前記スライド支軸ピンの軸部の内側に形成したネジ孔に、留めピンのネジ部を係合することによって、スライド支軸ピンをスライド支軸ピン支持孔に固定するように構成されていることを特徴とする。
このように構成することによって、ネジ結合によって、スライド支軸ピンをスライド支軸ピン支持孔に確実に固定することができ、組み立て作業が容易であり、しかもスライド支軸ピンが脱落することを防止できる。
【００４２】
また、本発明のスライド制御スイッチを備えた時計は、前記スライド支軸ピンと、スライド支軸ピン支持孔との間には、スライド支軸ピン用シール部材が介装されていることを特徴とする。
このように構成することによって、スライド支軸ピンと、スライド支軸ピン支持孔との間が、スライド支軸ピン用シール部材でシールされることになるので、防水性が十分確保されることになり、時計本体内部のムーブメントなどの制御機構に影響を及ぼすことがない。
【００４３】
また、本発明のスライド制御スイッチを備えた時計は、前記スライド支軸ピン支持孔には、パイプ形状のスライド支軸ピン用受け部材が固着されていることを特徴とする。
このように構成することによって、スライド支軸ピンをスライド支軸ピン用受け部材に装着するだけでよいので、組み立て作業が容易となり、しかも、スライド支軸ピンを確実にスライド支軸ピン支持孔に固定することができる。
【００４４】
また、本発明のスライド制御スイッチを備えた時計は、前記スライド支軸ピンとスライド支軸ピン用受け部材との間に、前記スライド支軸ピン用シール部材が介装されていることを特徴とする。
このようにスライド支軸ピンとスライド支軸ピン用受け部材との間に、スライド支軸ピン用シール部材が介装されているので、確実にシール機能を確保することができる。
【００４５】
また、本発明のスライド制御スイッチを備えた時計は、前記スライド支軸ピンに形成したシール溝に、前記スライド支軸ピン用シール部材が介装されていることを特徴とする。
このように構成することによって、スライド支軸ピンに形成したシール溝に、スライド支軸ピン用シール部材を装着するだけで良いので、組み立て作業が容易であるとともに、スライド支軸ピン用シール部材が脱落することなく、確実にシール機能を確保することができる。
【００４６】
また、本発明のスライド制御スイッチを備えた時計は、前記スライド支軸ピンとスライド支軸ピン支持孔が、複数組設けられていることを特徴とする。
このように構成することによって、スライド支軸ピン支持孔に固定された複数のスライド支軸ピンとスライド支持枠体の開口部を介して、スライドスイッチが安定して案内されることになり、スライドスイッチのスライド操作をより円滑に行うことができる。
【００４７】
また、本発明のスライド制御スイッチを備えた時計は、前記スライド用溝部とスライドスイッチが、時計ケースの側面に形成されていることを特徴とする。
このようにスライド用溝部とスライドスイッチが、時計ケースの側面に形成されているので、スライドスイッチが、時計ケースの側面に設けられることになり、指での操作性が良好であるとともに、外観的、意匠的にも美麗である。
【００４８】
また、本発明のスライド制御スイッチを備えた時計は、前記スライド用溝部が、時計ケースの表面に形成されていることを特徴とする。
このように構成することによって、スライド用溝部とスライドスイッチが、時計ケースの表面に形成されているので、スライドスイッチが、時計ケースの表面に設けられることになり、指での操作性が良好であるとともに、外観的、意匠的にも美麗である。
【００４９】
また、本発明のスライド制御スイッチを備えた時計は、前記時計本体内の制御機構が、接点バネとスイッチを備え、プッシュスイッチのスイッチ端部が、前記プッシュスイッチ用バネ部材に抗して、プッシュスイッチ用孔を介して突出する方向に移動して、接点バネを当接押圧して、スイッチをＯＮ状態にするように構成されていることを特徴とする。
【００５０】
このように構成することによって、プッシュスイッチのスイッチ端部によって、接点バネを当接押圧して、スイッチを確実にＯＮ状態にすることができるとともに、この当接押圧を解除することによって、接点バネの復帰によって確実にスイッチをＯＦＦ状態とすることができる。
また、本発明のスライド制御スイッチを備えた時計は、前記接点バネ自体が、前記プッシュスイッチ用バネ部材を構成していることを特徴とする。
【００５１】
このように構成することによって、プッシュスイッチ用バネ部材を省略することができ、構成が簡単になるとともに、組み立て作業が容易となる。
また、本発明のスライド制御スイッチを備えた時計は、前記時計ケースのスライド用溝部の近傍には、前記スライドスイッチの方向に突出するようにバネ部材を介して付勢された係止部材を備えるとともに、
前記スライドスイッチの時計ケース側の側壁には、スライドスイッチのスライド方向に一定間隔離間して形成されたスライド係止用孔が形成されており、
前記スライドスイッチをスライドさせた際に、前記係止部材がスライド係止用孔に係合することによって、スライドスイッチを位置固定できるように構成したことを特徴とする。
【００５２】
このように構成することによって、スライドスイッチをスライドさせた際に、係止部材がバネ部材の付勢によって、スライド係止用孔内に突出して係合することによって、スライドスイッチを位置固定できるので、スライドスイッチをＯＮ状態のまま固定することができ、指でスライドスイッチを保持することなく制御機構をＯＮ状態にすることができ、便利である。
【００５３】
また、ＯＦＦ状態においてもスライドスイッチを位置固定することができるので、振動、衝撃などによって、誤ってスライドスイッチが移動してＯＮ状態となるのを確実に防止することができる。
しかも、スライドスイッチを指でスライドさせることによって、バネ部材に抗して、係止部材とスライド係止用孔との係合を解除できる。
【００５４】
また、本発明のスライド制御スイッチを備えた時計は、前記スライドスイッチの外側には、操作部が形成されていることを特徴とする。
このように構成することによって、スライドスイッチの外側に形成された操作部に対して、指などをあてて操作することができるので、その操作性が良好となる。
【００５５】
また、本発明のスライド制御スイッチを備えた時計は、前記プッシュスイッチが、複数個設けられていることを特徴とする。
このように構成することによって、複数個のプッシュスイッチにそれぞれ、例えば、日付調整、時刻調整、タイマー、アラームの設定、電卓機能、ナビゲーション機能などの多機能機構を制御するようにすることが可能である。
【００５６】
【発明の実施の形態】
以下、本発明の実施の形態（実施例）を図面に基づいてより詳細に説明する。図１は、本発明のスライド制御スイッチを備えた時計の上面図、図２は、図１のＡ方向の側面図、図３は、図１の部分拡大図、図４は、図３の分解斜視図、図５は、図４で組立てた状態の断面図、図６は、図５のＢ−Ｂ線での断面図、図７は、図５のＣ−Ｃ線での断面図、図８は、本発明のスライド制御スイッチを備えた時計の作動を説明する図５と同様な断面図、図９は、本発明のスライド制御スイッチを備えた時計のＯＮ状態を説明する図５と同様な断面図である。
【００５７】
図１および図２において、１０は、全体で本発明のスライド制御スイッチを備えた腕時計を示している。
図１および図２に示したように、本発明のスライド制御スイッチを備えた時計１０には、時計ケース１２を備えており、この時計ケース１２の内部に、ムーブメント１４が収容されている。
【００５８】
そして、時計ケース１２の一側面１２ａには、図２および図３に示したように、略トラック形状のスライド用溝部１６が形成されている。
図３〜図５に示したように、このスライド用溝部１６内に、スライド用溝部１６の長手方向に、すなわち、時計ケース１２の一側面１２ａの円周方向に、スライド可能なスライドスイッチ１８が装着されている。
【００５９】
図４および図５に示したように、時計ケース１２の一側面１２ａのスライド用溝部１６の位置する壁には、２個のスライド支軸ピン支持孔２０、２０が形成されている。また、これらのスライド支軸ピン支持孔２０、２０の中間には、プッシュスイッチ用孔２２が形成されている。
図４に示したように、スライドスイッチ１８の内側には、すなわち、スライドスイッチ１８のスライド用溝部１６側には、略矩形状のスライド用凹部２４が形成されている。このスライド用凹部２４の内壁２６には、一段窪んだ係止用窪み２８が形成されている。この係止用窪み２８の一側には、プッシュスイッチ作動用テーパー面３０が形成されている。
【００６０】
図４に示したように、スライド用凹部２４の開口部の縁部には、段部３２が形成されており、この段部３２に、略矩形状のスライド支持枠体３４が固着されている。
図４〜図６に示したように、スライド支軸ピン支持孔２０には、パイプ形状のスライド支軸ピン用受け部材３６が固着されている。そして、スライド支持枠体３４の外側から、スライド支軸ピン３８の軸部４０が、スライド支持枠体３４の開口部３４ａを介して、このスライド支軸ピン用受け部材３６内に装着されている。
【００６１】
そして、このスライド支軸ピン３８の軸部４０の内側に形成されたネジ孔４２内に、留めピン４４のネジ部４４ａを螺合することによって、スライド支軸ピン３８を、スライド支軸ピン支持孔２０のスライド支軸ピン用受け部材３６に固定するようになっている。
すなわち、スライド支軸ピン３８の頭部４６の径が、スライド支持枠体３４の開口部３４ａの幅よりも大きい寸法となっているとともに、留めピン４４の頭部４８の径が、スライド支軸ピン用受け部材３６の径よりも大きくなっており、これにより抜け止めとなっている。
【００６２】
これによって、スライドスイッチ１８が、スライド支軸ピン３８の大径の頭部４６によって、スライド支持枠体３４の開口部３４ａを介して、スライド用溝部１６内を溝部の長手方向にスライド可能に、時計ケース１２に装着されるようになっている。
すなわち、スライド支軸ピン３８とスライド支持枠体３４の開口部３４ａを介して、スライドスイッチ１８がスライド用溝部１６内を、スライド用溝部１６の長手方向に案内されることになり、スライドスイッチ１８のスライド操作を円滑に行うことができるように構成されている。
【００６３】
また、図５および図６に示したように、スライド支軸ピン３８の軸部４０には、パッキン溝５０が形成され、このパッキン溝５０に、スライド支軸ピン用シール部材を構成するＯ−リングからなるパッキン５２が装着されており、これによって、時計ケース１２の内部に水などが侵入しないようにシールしている。
一方、図４、図５、図７に示したように、プッシュスイッチ用孔２２内には、略カップ形状のプッシュスイッチ用受け部材５４が固着されている。そして、スライド支持枠体３４の外側から、プッシュスイッチ５５の小径部のスイッチ軸部５６が、スライド支持枠体３４の開口部３４ａを介して、このプッシュスイッチ用受け部材５４内に装着されている。
【００６４】
また、このプッシュスイッチ５５の小径部のスイッチ軸部５６のプッシュスイッチ５５のスイッチ端部を構成する先端部５８は、プッシュスイッチ用受け部材５４の端部５４ａに形成したスイッチ軸用孔５４ｂから突出するように装着されている。
プッシュスイッチ５５の大径部の頭部６６の下端部６０と、プッシュスイッチ用受け部材５４の端部５４ａとの間には、プッシュスイッチ用バネ部材６２が、小径部のスイッチ軸部５６の外周に圧縮状態で装着されている。これにより、プッシュスイッチ５５を外側に、すなわち、スライドスイッチ１８のスライド用凹部２４側に付勢するようになっている。
【００６５】
また、プッシュスイッチ５５の大径部の頭部６６の下端部６０の近傍には、パッキン溝６４が形成され、このパッキン溝６４に、プッシュスイッチ用シール部材を構成するＯ−リングからなるパッキン６５が装着されており、時計ケース１２の内部に水などが侵入しないようにシールしている。
プッシュスイッチ５５の大径部の頭部６６は、その先端部６６ａがドーム形状となっており、この先端部６６ａが、図５に示したように、スライドスイッチ１８のスライド用凹部２４の係止用窪み２８内に当接するようになっている。
【００６６】
また、図５に示したように、スライドスイッチ１８のスライド用凹部２４内には、スライド用凹部２４の一端の端壁２４ａと、一方のスライド支軸ピン３８の大径の頭部４６との間に、スライドスイッチ用バネ部材を構成するスライドスイッチ戻しバネ６８が圧縮状態で介装されている。これにより、図５に示したような位置（ＯＦＦ状態）に、スライドスイッチ１８が位置するように付勢している。
【００６７】
さらに、スライドスイッチ１８の外側には、段部を構成することによって、操作部７０が形成されている。これにより、操作部７０に対して、指などをあてて操作することができるので、その操作性が良好となるように構成されている。
このように構成される本発明のスライド制御スイッチを備えた時計１０は、以下のようにして使用される。
【００６８】
スライドスイッチ１８を操作しない状態（ＯＦＦ状態）では、スライドスイッチ戻しバネ６８の作用によって、図５に示したような位置（ＯＦＦ状態）に、スライドスイッチ１８が位置している。
この図５に示した状態では、プッシュスイッチ５５の大径部の頭部６６が、スライドスイッチ１８のスライド用凹部２４の係止用窪み２８内に当接した状態となっている。
【００６９】
この状態では、図７に示したように、プッシュスイッチ５５の小径部のスイッチ端部を構成するスイッチ軸部５６の先端部５８は、プッシュスイッチ用孔２２を介して没入方向に移動された状態となっている。すなわち、スイッチ軸部５６の先端部５８は、時計ケース１２の内部のムーブメント１４の制御機構の接点バネ１４ａとは離間しており、スイッチ１４ｂがＯＦＦ状態となっている。
【００７０】
そして、図８に示したように、スライドスイッチ１８の操作部７０に、指などあてて矢印方向Ｄにスライドさせると、スライドスイッチ１８の係止用窪み２８の一側に形成されたプッシュスイッチ作動用テーパー面３０に案内されて、プッシュスイッチ５５の大径部の頭部６６が、プッシュスイッチ用バネ部材６２に抗して、矢印Ｆのように押し戻される。
【００７１】
これによって、スライドスイッチ１８のプッシュスイッチ５５の小径部のスイッチ端部を構成するスイッチ軸部５６の先端部５８が、プッシュスイッチ用バネ部材６２に抗してプッシュスイッチ用孔２２を介して突出する方向に移動する。すなわち、図９に示したように、スイッチ軸部５６の先端部５８が、時計ケース１２の内部のムーブメント１４の接点バネ１４ａと当接して、スイッチ１４ｂがＯＮ状態となり、例えば、日付調整、時刻調整、タイマー、アラームの設定、電卓機能、ナビゲーション機能などの制御が行われるようになっている。
【００７２】
なお、この状態で、スライドスイッチ１８から指を離せば、スライドスイッチ戻しバネ６８の矢印Ｅ方向の力によって、上記の図５に示したような元の位置（ＯＦＦ状態）に復帰するようになっている。
このように構成することによって、スライドスイッチ１８が、スライド支軸ピン３８の大径の頭部４６によって、スライド支持枠体３４の開口部３４ａを介して、スライド用溝部１６内を溝部の長手方向にスライド可能に、時計ケース１２に装着されることになる。
【００７３】
しかも、スライド支軸ピン３８とスライド支持枠体３４の開口部３４ａを介して、スライドスイッチ１８が案内されることになり、スライドスイッチ１８のスライド操作を円滑に行うことができる。
従って、従来のように、スライド用溝部に形成した窪みを介して、スライドスイッッチを時計ケースに保持する必要がなく、その構成が簡単で、組み立て作業も容易となる。
【００７４】
しかも、スライドスイッチ１８が、繰り返し操作によって、または衝撃によっても、スライドスイッチが脱落するおそれがない。
また、プッシュスイッチ５５が、プッシュスイッチ用バネ部材６２を介して、スライドスイッチ１８のスライド用凹部２４側に、スライド支持枠体３４の開口部３４ａから、プッシュスイッチ５５の頭部６６が突出するように付勢されているので、時計本体内部にバネ部材を配設する必要がないので、構成が簡単で、組み立て作業も容易となる。
【００７５】
また、スライドスイッチ１８をスライドさせるだけで、例えば、日付調整、時刻調整、タイマー、アラームの設定、電卓機能、ナビゲーション機能などの多機能機構を確実に制御することが可能である。
さらに、スライド用溝部１６内にスライドスイッチ１８が収容されることになるので、スライドスイッチ１８とスライド用溝部１６の側部の間に間隙がほとんど存在せず、外観的にも、意匠的にも美麗である。
【００７６】
図１０は、本発明のスライド制御スイッチを備えた時計の別の実施例を示す図５と同様な断面図、図１１は、本発明のスライド制御スイッチを備えた時計の作動を説明する図８と同様な断面図、図１２は、本発明のスライド制御スイッチを備えた時計のＯＮ状態を説明する図９と同様な断面図、図１３は、図４と同様な部分拡大斜視図、図１４は、図７と同様な断面図である。
【００７７】
この実施例のスライド制御スイッチを備えた時計１０は、図１に示したスライド制御スイッチを備えた時計１０と基本的には同様な構成であり、同一の構成部材には同一の参照番号を付して、その詳細な説明を省略する。
この実施例のスライド制御スイッチを備えた時計１０では、プッシュスイッチ５５の頭部６６が、略直方体の形状をしており、その先端部がプッシュスイッチ作動用テーパー面６６ｂとなっている。
【００７８】
そして、このプッシュスイッチ作動用テーパー面６６ｂとスライドスイッチ１８の内壁２６とが当接することによって、プッシュスイッチ５５が上下動してプッシュスイッチ５５がＯＮ、ＯＦＦするようになっている。
すなわち、スライドスイッチ１８を操作しない状態（ＯＦＦ状態）では、スライドスイッチ戻しバネ６８の作用によって、図１０に示したような位置（ＯＦＦ状態）に、スライドスイッチ１８が位置している。
【００７９】
この図１０に示した状態では、プッシュスイッチ５５の大径部の頭部６６のプッシュスイッチ作動用テーパー面６６ｂの先端が、スライドスイッチ１８のスライド用凹部２４の係止用窪み２８内に当接した状態となっている。
この状態では、プッシュスイッチ５５の小径部のスイッチ端部を構成するスイッチ軸部５６の先端部５８は、プッシュスイッチ用孔２２を介して没入方向に移動された状態となっている。すなわち、スイッチ軸部５６の先端部５８は、時計ケース１２の内部のムーブメント１４の制御機構の接点バネ１４ａとは離間しており、スイッチ１４ｂがＯＦＦ状態となっている。
【００８０】
そして、図１１に示したように、スライドスイッチ１８の操作部７０に、指などあてて矢印方向Ｄにスライドさせると、スライドスイッチ１８の係止用窪み２８の一側に形成されたプッシュスイッチ作動用テーパー面３０とプッシュスイッチ作動用テーパー面６６ｂに案内されて、プッシュスイッチ５５の大径部の頭部６６が、プッシュスイッチ用バネ部材６２に抗して、矢印Ｆのように押し戻される。
【００８１】
これによって、スライドスイッチ１８のプッシュスイッチ５５の小径部のスイッチ端部を構成するスイッチ軸部５６の先端部５８が、プッシュスイッチ用バネ部材６２に抗してプッシュスイッチ用孔２２を介して突出する方向に移動する。すなわち、図１２に示したように、スイッチ軸部５６の先端部５８が、時計ケース１２の内部のムーブメント１４の接点バネ１４ａと当接して、スイッチ１４ｂがＯＮ状態となり、例えば、日付調整、時刻調整、タイマー、アラームの設定、電卓機能、ナビゲーション機能などの制御が行われるようになっている。
【００８２】
なお、この実施例では、スライドスイッチ１８の係止用窪み２８の一側に形成されたプッシュスイッチ作動用テーパー面３０とプッシュスイッチ作動用テーパー面６６ｂに案内されて、プッシュスイッチ５５の大径部の頭部６６が、プッシュスイッチ用バネ部材６２に抗して、矢印Ｆのように押し戻されるように構成したが、図１５に示したように、スライドスイッチ１８の係止用窪み２８の一側に形成されたプッシュスイッチ作動用テーパー面３０を構成しないで、プッシュスイッチ作動用テーパー面６６ｂに案内されて、プッシュスイッチ５５の大径部の頭部６６が、プッシュスイッチ用バネ部材６２に抗して、矢印Ｆのように押し戻されるように構成することも可能である。
【００８３】
図１６は、本発明のスライド制御スイッチを備えた時計の別の実施例を示す図１４と同様な断面図である。
この実施例では、図１６に示したように、略カップ形状のプッシュスイッチ用受け部材５４の先端部を、プッシュスイッチ用孔２２の外側、すなわち、スライドスイッチ１８側に突設して突設部７２を形成し、その外周部に、パッキン溝７４を形成して、このパッキン溝７４にプッシュスイッチ用シール部材を構成するＯ−リングからなるパッキン７６が装着されている。
【００８４】
そして、プッシュスイッチ５５の頭部６６が、截頭円柱形状をしており、その先端部がプッシュスイッチ作動用テーパー面７８となっている。このプッシュスイッチ５５の頭部６６の内端側の内部に環状空隙部８０が形成され、この空隙部８０にプッシュスイッチ用受け部材５４の外側に突設する突設部７２が摺動可能に嵌合するようになっている。
【００８５】
これによって、プッシュスイッチ５５の側壁８２とプッシュスイッチ用受け部材５４の突設部７２との間で、パッキン７６によってシールされるようになっている。
図１７は、本発明のスライド制御スイッチを備えた時計の別の実施例を示す図１６と同様な断面図である。
【００８６】
この実施例では、図１７に示したように、プッシュスイッチ用受け部材５４をパイプ形状として、その先端部の外周の溝部７１に、別の第２の受け部材７３を嵌着して、この第２の受け部材７３の内側にパッキン溝７５を形成して、このパッキン溝７５にプッシュスイッチ用シール部材を構成するＯ−リングからなるパッキン７７を装着した構成である。
【００８７】
そして、プッシュスイッチ５５の頭部６６が、截頭円柱形状をしており、その先端部がプッシュスイッチ作動用テーパー面７８となっている。
このように構成することによって、プッシュスイッチ５５と第２の受け部材７３との間で、パッキン７６によってシールされるようになっている。
また、この実施例では、接点バネ１４ａ自体が、プッシュスイッチ用バネ部材６２を構成しており、プッシュスイッチ用バネ部材６２を省略している。これによって、構成が簡単になるとともに、組み立て作業が容易となっている。
【００８８】
なお、図１６および図１７の実施例においても、図示しないが、プッシュスイッチ５５の頭部６６をドーム形状にしても良いことは勿論である。
図１８は、本発明のスライド制御スイッチを備えた時計の別の実施例を示す図５と同様な断面図、図１９は、図１８のスライド制御スイッチを備えた時計のＯＮ状態を説明する断面図である。
【００８９】
この実施例のスライド制御スイッチを備えた時計１０は、図１に示したスライド制御スイッチを備えた時計１０と基本的には同様な構成であり、同一の構成部材には同一の参照番号を付して、その詳細な説明を省略する。
この実施例のスライド制御スイッチを備えた時計１０では、図１８に示したように、時計ケース１２のスライド用溝部１６の近傍には、一定間隔離間して、２個の盲孔形状の係止部材用孔部８４、８４が形成されている。そして、これらの係止部材用孔部８４にそれぞれ、略カップ形状の係止部材用受け部材８６が固着されている。
【００９０】
この係止部材用受け部材８６の内部には、係止部材用受け部材８６の先端の小径部８６ａによって、ボール形状の係止部材８８が装着されている。そして、この係止部材８８と、係止部材用受け部材８６の底部８６ｂと間にバネ部材９０が介装されている。これによって、ボール形状の係止部材８８が、スライドスイッチ１８の方向に突出するようにバネ部材９０を介して付勢されている。
【００９１】
一方、スライドスイッチ１８の時計ケース１２の側壁１８ａには、スライドスイッチ１８のスライド方向に一定間隔離間して形成された２個のスライド係止用孔９２が形成されている。
そして、スライドスイッチ１８をスライドさせた際に、ボール形状の係止部材８８が、スライド係止用孔９２に係合することによって、スライドスイッチ１８を、図１８に示したＯＮ状態と、図１９に示した位置固定できるように構成されている。
【００９２】
このように構成することによって、スライドスイッチ１８をスライドさせた際に、係止部材８８がバネ部材９０の付勢力によって、スライド係止用孔９２内に突出して係合することによって、スライドスイッチ１８を位置固定できるので、スライドスイッチ１８をＯＮ状態のまま固定することができ、指でスライドスイッチ１８を保持することなく制御機構をＯＮ状態にすることができ、便利である。
【００９３】
また、ＯＦＦ状態においてもスライドスイッチ１８を位置固定することができるので、振動、衝撃などによって、誤ってスライドスイッチ１８が移動してＯＮ状態となるのを確実に防止することができる。
しかも、スライドスイッチ１８を指でスライドさせることによって、バネ部材９０に抗して、係止部材とスライド係止用孔との係合を解除できる。
【００９４】
なお、この実施例では、スライドスイッチ戻しバネ６８を省略したが、スライドスイッチ戻しバネ６８を、図示しないが、図１の実施例と同様に設けることも可能である。この場合には、図１８に示したＯＮ状態から、スライドスイッチ１８を指でスライドさせることによって、バネ部材９０に抗して、係止部材とスライド係止用孔との係合を解除するだけで、このスライドスイッチ戻しバネ６８の付勢力によって、図１９に示したＯＦＦ状態に復帰するので便利である。
【００９５】
以上説明した実施例では、スライド支軸ピン３８とスライド支軸ピン支持孔２０を２個設けたが、３個以上の複数組、または１個だけ設けることも可能である。
また、上記した実施例では、プッシュスイッチ５５を１個だけ設けた実施例について説明したが、プッシュスイッチが、複数個設けられていてもよい。この場合には、複数個のプッシュスイッチにそれぞれ、例えば、日付調整、時刻調整、タイマー、アラームの設定、電卓機能、ナビゲーション機能などの多機能機構を制御するようにすることが可能であり、極めて便利である。
【００９６】
さらに、上記した実施例では、スライド用溝部１６が、時計ケース１２の側面１２ａに形成した実施例について説明したが、図２０に示したように、スライド用溝部１６とスライドスイッチ１８が、時計ケース１２の表面１２ｂに形成されるようにすることも可能である。
このように構成することによって、スライドスイッチ１８が、時計ケース１２の表面１２ｂに設けられることになり、指での操作性が良好であるとともに、外観的、意匠的にも美麗である。
【００９７】
さらに、上記実施例では、スライドスイッチ１８を、一方側に位置させて、制御機構をＯＦＦ状態とし、逆に、スライドスイッチ１８を、他端側に位置させた状態で、制御機構をＯＮ状態とするように構成したが、中間の位置において、ＯＮ状態またはＯＦＦ状態とするように構成することも可能である。
以上、本発明の好ましい実施例を説明したが、本発明はこれに限定されることはなく、例えば、上記の実施例では、腕時計に適用した実施例を示したが、目覚まし時計、置時計などその他の電子機器の場合にも適用することができるなど本発明の目的を逸脱しない範囲で種々の変更が可能である。
【００９８】
【発明の効果】
本発明によれば、スライドスイッチが、スライド支軸ピンの大径の頭部によって、スライド支持枠体の開口部を介して、スライド用溝部内を溝部の長手方向にスライド可能に、時計ケースに装着されることになる。
しかも、スライド支軸ピンとスライド支持枠体の開口部を介して、スライドスイッチが案内されることになり、スライドスイッチのスライド操作を円滑に行うことができる。
【００９９】
従って、従来のように、スライド用溝部に形成した窪みを介して、スライドスイッッチを時計ケースに保持する必要がなく、その構成が簡単で、組み立て作業も容易となる。
しかも、スライドスイッチが、繰り返し操作によって、または衝撃によっても、スライドスイッチが脱落するおそれがない。
【０１００】
また、プッシュスイッチが、プッシュスイッチ用バネ部材を介して、スライドスイッチのスライド用凹部側に、スライド支持枠体の開口部から、プッシュスイッチの頭部が突出するように付勢されているので、時計本体内部にバネ部材を配設する必要がないので、構成が簡単で、組み立て作業も容易となる。
しかも、スライドスイッチを、時計ケースの一面に沿ってスライドさせることによって、プッシュスイッチの頭部が、プッシュスイッチ作動用テーパー面に案内されて、プッシュスイッチのスイッチ端部が、プッシュスイッチ用バネ部材に抗して、プッシュスイッチ用孔を介して突出する方向に移動して、時計本体内の制御機構に当接するので、スライドスイッチを、時計ケースの一面に沿ってスライドさせるだけでＯＮ／ＯＦＦ状態を簡単に切り替えることができる。
【０１０１】
さらに、スライド用溝部内にスライドスイッチが収容されることになるので、スライドスイッチとスライド用溝部の側部の間に間隙がほとんど存在せず、外観的にも、意匠的にも美麗である。
また、スライドスイッチを、例えば、スライド用溝部内の溝部の長手方向の一方側に位置させるだけで、プッシュスイッチの頭部が、スライド用凹部の係止用窪みに当接して、プッシュスイッチのスイッチ端部が、プッシュスイッチ用孔を介して没入方向に移動して、時計本体内の制御機構から離反するので、制御機構をＯＦＦ状態とすることができる。
【０１０２】
逆に、スライドスイッチを、例えば、スライド用溝部内の溝部の長手方向の他端側に位置させるだけで、プッシュスイッチの頭部が、係止用窪みの一側に形成されたプッシュスイッチ作動用テーパー面に案内されて、または、プッシュスイッチの頭部のプッシュスイッチ作動用テーパー面に案内されて、プッシュスイッチのスイッチ端部が、プッシュスイッチ用バネ部材に抗して、プッシュスイッチ用孔を介して突出する方向に移動して、時計本体内の制御機構に当接するので、制御機構をＯＮ状態とすることができる。
【０１０３】
従って、スライドスイッチをスライドさせるだけで、例えば、日付調整、時刻調整、タイマー、アラームの設定、電卓機能、ナビゲーション機能などの多機能機構を確実に制御することが可能である。
また、本発明によれば、スライドスイッチを指などで、このスライドスイッチ用バネ部材に抗して、スライド用溝部内の溝部の長手方向の一方側に位置させて、プッシュスイッチのスイッチ端部が、プッシュスイッチ用バネ部材に抗して、プッシュスイッチ用孔を介して突出する方向に移動して、時計本体内の制御機構に当接させて、制御機構をＯＮ状態とすることができる。
【０１０４】
そして、この状態で、スライドスイッチから指を離すだけで、このスライドスイッチ用バネ部材の復元力によって、スライドスイッチを、スライド用溝部内の溝部の長手方向の他方側に復帰して、プッシュスイッチのスイッチ端部が、プッシュスイッチ用孔を介して没入方向に移動して、時計本体内の制御機構から離反して、制御機構をＯＦＦ状態とすることができる。
【０１０５】
従って、制御機構をＯＮ状態にしたい場合に、指でスライドスイッチをスライド操作するだけで、ＯＮ状態になり、手を離すだけで、元のＯＦＦ状態となるので極めて制御操作が簡単である。
また、本発明によれば、スライドスイッチ用バネ部材が、スライドスイッチのスライド用凹部内に介装されているので、外部にバネ部材が露出しないので、外観的、意匠的にも美麗である。
【０１０６】
しかも、スライドスイッチによって、スライドスイッチ用バネ部材が覆われているので、雨水などによってスライドスイッチ用バネ部材が腐食するおそれがなく、上記復帰動作が確実に行われる。
さらに、スライドスイッチ用バネ部材が、スライド用凹部の一端の端壁とスライド支軸ピンの大径の頭部の間に介装されているので、スライドスイッチ用バネ部材が脱落することなく、上記復帰動作が確実に行われるとともに、組み立て作業も容易になる。
【０１０７】
また、本発明によれば、プッシュスイッチとプッシュスイッチ用孔との間が、プッシュスイッチ用シール部材でシールされることになるので、防水性が十分確保されることになり、時計本体内部のムーブメントなどの制御機構に影響を及ぼすことがない。
さらに、本発明によれば、プッシュスイッチとプッシュスイッチ用受け部材との間に、プッシュスイッチ用シール部材が介装されているので、確実にシール機能を確保することができる。
【０１０８】
また、本発明によれば、プッシュスイッチの大径部に形成したシール溝に、プッシュスイッチ用シール部材を装着するだけで良いので、組み立て作業が容易であるとともに、プッシュスイッチ用シール部材がプッシュスイッチの摺動の際に脱落することなく、確実にシール機能を確保することができる。
また、本発明によれば、プッシュスイッチ用受け部材によって、プッシュスイッチを、確実に摺動できるように装着することができ、組み立て作業および作動が確実になる。
【０１０９】
また、本発明によれば、プッシュスイッチ用受け部材の底部に形成したスイッチ軸用孔から、プッシュスイッチのスイッチ端部を構成するプッシュスイッチの小径部のスイッチ軸部が突出するので、確実に時計本体内部の制御機構を制御（ＯＮ／ＯＦＦ）することが可能である。
しかも、組み立ての際には、このスイッチ軸用孔に、スイッチ軸部を挿通するだけで位置決めできるため、組み立て作業が容易である。
【０１１０】
また、本発明によれば、プッシュスイッチの大径部とプッシュスイッチ用受け部材の底部との間で、プッシュスイッチ用バネ部材によって、スライドスイッチのスライド用凹部側に、スライド支持枠体の開口部から、プッシュスイッチの頭部が突出するように確実に付勢することができる。
しかも、組み立ての際には、プッシュスイッチの小径部のスイッチ軸部の外周にプッシュスイッチ用バネ部材を装着するだけで良いので、組み立て作業が容易である。
【０１１１】
また、本発明によれば、プッシュスイッチの頭部が、係止用窪みの一側に形成されたプッシュスイッチ作動用テーパー面に、このドーム形状によって円滑に案内されて、プッシュスイッチのスイッチ端部が、プッシュスイッチ用バネ部材に抗して、プッシュスイッチ用孔を介して突出する方向に移動して、時計本体内の制御機構に当接することができる。
【０１１２】
従って、スライドスイッチのスライド操作が、指などの小さな力でスムーズに行えるとともに、確実に制御機構を制御することが可能となる。
また、本発明によれば、スライド支軸ピンと、留めピンを係合するだけで、スライド支軸ピンをスライド支軸ピン支持孔に固定することができるので、組み立て作業が容易であり、しかもスライド支軸ピンが脱落することがない。
【０１１３】
従って、留めピンによって、特に、ネジ結合によって、スライド支軸ピンをスライド支軸ピン支持孔に確実に固定することができるので、スライドスイッチを、この固定されたスライド支軸ピンを介して、時計ケースにスライド可能に確実に装着することができる。
また、本発明によれば、スライド支軸ピンと、スライド支軸ピン支持孔との間が、スライド支軸ピン用シール部材でシールされることになるので、防水性が十分確保されることになり、時計本体内部のムーブメントなどの制御機構に影響を及ぼすことがない。
【０１１４】
また、本発明によれば、スライド支軸ピンをスライド支軸ピン用受け部材に装着するだけでよいので、組み立て作業が容易となり、しかも、スライド支軸ピンを確実にスライド支軸ピン支持孔に固定することができる。
また、本発明によれば、スライド支軸ピンとスライド支軸ピン用受け部材との間に、スライド支軸ピン用シール部材が介装されているので、確実にシール機能を確保することができる。
【０１１５】
また、本発明によれば、スライド支軸ピンに形成したシール溝に、スライド支軸ピン用シール部材を装着するだけで良いので、組み立て作業が容易であるとともに、スライド支軸ピン用シール部材が脱落することなく、確実にシール機能を確保することができる。
また、本発明によれば、スライド支軸ピン支持孔に固定された複数のスライド支軸ピンとスライド支持枠体の開口部を介して、スライドスイッチが安定して案内されることになり、スライドスイッチのスライド操作をより円滑に行うことができる。
【０１１６】
また、本発明によれば、スライド用溝部とスライドスイッチが、時計ケースの側面または時計ケースの表面に形成されているので、スライドスイッチが、時計ケースの側面または時計ケースの表面に形成され、指での操作性が良好であるとともに、外観的、意匠的にも美麗である。
また、本発明によれば、プッシュスイッチのスイッチ端部によって、接点バネを当接押圧して、スイッチを確実にＯＮ状態にすることができるとともに、この当接押圧を解除することによって、接点バネの復帰によって確実にスイッチをＯＦＦ状態とすることができる。
【０１１７】
また、本発明によれば、接点バネ自体が、前記プッシュスイッチ用バネ部材を構成しているので、プッシュスイッチ用バネ部材を省略することができ、構成が簡単になるとともに、組み立て作業が容易となる。
また、本発明によれば、スライドスイッチをスライドさせた際に、係止部材がバネ部材の付勢によって、スライド係止用孔内に突出して係合することによって、スライドスイッチを位置固定できるので、スライドスイッチをＯＮ状態のまま固定することができ、指でスライドスイッチを保持することなく制御機構をＯＮ状態にすることができ、便利である。
【０１１８】
また、ＯＦＦ状態においてもスライドスイッチを位置固定することができるので、振動、衝撃などによって、誤ってスライドスイッチが移動してＯＮ状態となるのを確実に防止することができる。
しかも、スライドスイッチを指でスライドさせることによって、バネ部材に抗して、係止部材とスライド係止用孔との係合を解除できる。
【０１１９】
また、本発明によれば、スライドスイッチの外側に形成された操作部に対して、指などをあてて操作することができるので、その操作性が良好となる。
さらに、本発明によれば、複数個のプッシュスイッチにそれぞれ、例えば、日付調整、時刻調整、タイマー、アラームの設定、電卓機能、ナビゲーション機能などの多機能機構を制御するようにすることが可能であるなどの幾多の顕著で特有な作用効果を奏する極めて優れた発明である。
【図面の簡単な説明】
【図１】図１は、本発明のスライド制御スイッチを備えた時計の上面図である。
【図２】図２は、図１のＡ方向の側面図である。
【図３】図３は、図１の部分拡大図である。
【図４】図４は、図３の分解斜視図である。
【図５】図５は、図４で組立てた状態の断面図である。
【図６】図６は、図５のＢ−Ｂ線での断面図である。
【図７】図７は、図５のＣ−Ｃ線での断面図である。
【図８】図８は、本発明のスライド制御スイッチを備えた時計の作動を説明する図５と同様な断面図である。
【図９】図９は、本発明のスライド制御スイッチを備えた時計のＯＮ状態を説明する図５と同様な断面図である。
【図１０】図１０は、本発明のスライド制御スイッチを備えた時計の別の実施例を示す図５と同様な断面図である。
【図１１】図１１は、本発明のスライド制御スイッチを備えた時計の作動を説明する図８と同様な断面図である。
【図１２】図１２は、本発明のスライド制御スイッチを備えた時計のＯＮ状態を説明する図９と同様な断面図である。
【図１３】図１３は、図４と同様な部分拡大斜視図である。
【図１４】図１４は、図７と同様な断面図である。
【図１５】図１５は、図１０と同様な断面図である。
【図１６】図１６は、本発明のスライド制御スイッチを備えた時計の別の実施例を示す図１４と同様な断面図である。
【図１７】図１７は、本発明のスライド制御スイッチを備えた時計の別の実施例を示す図１６と同様な断面図である。
【図１８】図１８は、本発明のスライド制御スイッチを備えた時計の別の実施例を示す図５と同様な断面図である。
【図１９】図１９は、図１８のスライド制御スイッチを備えた時計のＯＮ状態を説明する断面図である。
【図２０】図２０は、本発明のスライド制御スイッチを備えた時計の別の実施例を示す斜視図である。
【図２１】図２１は、従来の制御スイッチを備えた時計の概略図である。
【図２２】図２２は、従来の制御スイッチを備えた時計の部分拡大断面図である。
【図２３】図２３は、図２２の時計の部分拡大断面図である。
【符号の説明】
１０      時計
１２      時計ケース
１２ａ  側面
１２ｂ  表面
１４      ムーブメント
１４ａ  接点バネ
１４ｂ  スイッチ
１６      スライド用溝部
１８      スライドスイッチ
２０      スライド支軸ピン支持孔
２２      プッシュスイッチ用孔
２４      スライド用凹部
２４ａ  端壁
２６      内壁
３０      プッシュスイッチ作動用テーパー面
３２      段部
３４      スライド支持枠体
３４ａ  開口部
３６      スライド支軸ピン用受け部材
３８      スライド支軸ピン
４０      軸部
４２      ネジ孔
４４      留めピン
４４ａ  ネジ部
４６      頭部
４８      頭部
５０      パッキン溝
５２      パッキン
５４      プッシュスイッチ用受け部材
５４ａ  端部
５４ｂ  スイッチ軸用孔
５５      プッシュスイッチ
５６      スイッチ軸部
５８      先端部
６０      下端部
６２      プッシュスイッチ用バネ部材
６４      パッキン溝
６５      パッキン
６６      頭部
６６ａ  先端部
６６ｂ  プッシュスイッチ作動用テーパー面
６８      スライドスイッチ戻しバネ
７０      操作部
７１      溝部
７２      突設部
７３      第２の受け部材
７４      パッキン溝
７５      パッキン溝
７６      パッキン
７７      パッキン
７８      プッシュスイッチ作動用テーパー面
８０      空隙部
８２      側壁
８４      係止部材用孔部
８６      係止部材用受け部材
８６ａ  小径部
８６ｂ  底部
８８      係止部材
９０      バネ部材
９２      スライド係止用孔
１０１ａ，１０１ｂ      ボタンスイッチ
１０２  時計ケース本体
１０３  操作リング
１０３ａ            傾斜部
１０３ｂ            傾斜部
１０７ａ            スイッチ端子
１０７ｂ            スイッチ端子
２０１  時計ケース
２０４  制御手段
２０６  壁
２０６ａ            穴
２０６ｂ  窪み
２０６ｇ            溝
２０７  ムーブメント
２０７ａ            バネ部材
２０７ｂ            接点
２０８  スライドスイッチ
２０８ｆ            ノッチ
２０８ｇ            カム
２０９  プッシュスイッチ
２０９ａ            内側端部
２０９ｂ            外側端部
２１０  シーリングガスケット
【図１】
2004170208.tif 000003
【図２】
2004170208.tif 000004
【図３】
2004170208.tif 000005
【図４】
2004170208.tif 000006
【図５】
2004170208.tif 000007
【図６】
2004170208.tif 000008
【図７】
2004170208.tif 000009
【図８】
2004170208.tif 000010
【図９】
2004170208.tif 000011
【図１０】
2004170208.tif 000012
【図１１】
2004170208.tif 000013
【図１２】
2004170208.tif 000014
【図１３】
2004170208.tif 000015
【図１４】
2004170208.tif 000016
【図１５】
2004170208.tif 000017
【図１６】
2004170208.tif 000018
【図１７】
2004170208.tif 000019
【図１８】
2004170208.tif 000020
【図１９】
2004170208.tif 000021
【図２０】
2004170208.tif 000022
【図２１】
2004170208.tif 000023
【図２２】
2004170208.tif 000024
【図２３】
2004170208.tif 000025